(57)【要約】【課題】簡易且つ安価に製造可能であって、細菌汚染を防ぐことが可能な治療器具用カバー部材を提供する。【解決手段】治療器具２を挿入可能な伸縮性を有する筒状のシート部材１１であって、治療器具２の周面に密着させるために前方部が後方部よりも小径に形成され、前方部の周方向に治療器具２の一部を露出可能な開口１６ａを有している。【選択図】図３
2016039846.tif 000002
【特許請求の範囲】
【請求項１】
治療器具を挿入可能な伸縮性を有する筒状のシート部材であって、
前記治療器具の周面に密着させるために前方部が後方部よりも小径に形成され、前記前方部の周方向に前記治療器具の一部を露出可能な開口を有していることを特徴とする治療器具用カバー部材。
【請求項２】
前記シート部材の一部にくびれ部を有していることを特徴とする請求項１に記載の治療器具用カバー部材。
【請求項３】
前記シート部材を前記治療器具の周面に固定する固定手段を備えていることを特徴とする請求項１、又は２に記載の治療器具用カバー部材。
【請求項４】
前記シート部材の少なくとも一部がシュリンクフィルムで形成されていることを特徴とする請求項１、又は２に記載の治療器具用カバー部材。
【発明の詳細な説明】
【技術分野】
【０００１】
本発明は、医療用に用いられる治療器具に装着されるカバー部材に関する。
【背景技術】
【０００２】
従来から歯科治療において、歯牙切削のため、治療器具としてのタービンやコントラアングルエンジンのハンドピースが知られている。
【０００３】
歯科治療は、患者の口腔内に治療器具を挿入して行われるため、治療器具が細菌汚染されてしまう点が指摘されており、患者毎に治療器具をオートクレーブ処理して使用することが推奨されている。
【先行技術文献】
【特許文献】
【０００４】
【特許文献１】特開平１０−２３４７４７号公報
【発明の開示】
【発明が解決しようとする課題】
【０００５】
ところで、治療器具の汚染防止は、医療従事者の感染及び他の患者への二次感染を防ぐ上で必要であるものの、オートクレーブ処理には、その設備投資に膨大な費用負担が生じる。
【０００６】
また、オートクレーブ処理は、ハンドピース内に収容されている精密機器類の劣化を招くなどの問題が生じやすい。
【０００７】
そこで、本発明は上記問題を課題の一例として為されたもので、簡易且つ安価に製造可能であって、細菌汚染を防ぐことが可能な治療器具用カバー部材を提供することを目的とする。
【課題を解決するための手段】
【０００８】
上記課題を解決するために、請求項１に記載の治療器具用カバー部材（１０）は、治療器具（２）を挿入可能な伸縮性を有する筒状のシート部材（１１）であって、前記治療器具の周面に密着させるために前方部が後方部よりも小径に形成され、前記前方部の一部に前記治療器具の一部を露出可能な開口（１６ａ）を有していることを特徴とする。
【０００９】
また、請求項２に記載の治療器具用カバー部材は、請求項１に記載の治療器具用カバー部材において、前記シート部材の一部にくびれ部（１５）を有していることを特徴とする。
【００１０】
また、請求項３に記載の治療器具用カバー部材は、請求項１、又は２に記載の治療器具用カバー部材において、前記シート部材を前記治療器具の周面に固定する固定手段（２５）を備えていることを特徴とする。
【００１１】
また、請求項４に記載の治療器具用カバー部材は、請求項１、又は２に記載の治療器具用カバー部材において、前記フィルムの少なくとも一部がシュリンクフィルムで形成されていることを特徴とする。
【発明の効果】
【００１２】
本発明によれば、ハンドピース本体の患者に直接接触する部位に細菌が付着することを容易且つ確実に防止することができ、細菌汚染を確実に防ぐことができる。
【図面の簡単な説明】
【００１３】
【図１】カバー部材の使用状態を示す模式図である。
【図２】ハンドピースの外観例を示す模式図である。
【図３】カバー部材の構成を示す模式図であり、図３（ａ）は正面図、図３（ｂ）は平面図、図３（ｃ）は底面図である。
【発明を実施するための最良の形態】
【００１４】
以下、本願の実施形態について添付図面を参照して説明する。なお、以下のハンドピース２の説明において、便宜的に図１に示す左・右方向をハンドピースの前後方向、上・下方向をハンドピースの上下方向として説明する。
【００１５】
本実施形態の治療器具用カバー部材（以下、「カバー部材１０」と称する。）は、例えば、図１に示すように、歯科治療に用いられるタービンやコントラアングルエンジンのハンドピース２に取り付けられて使用される。なお、ハンドピース２は、治療器具の一例であり、その他の医療用に用いられる治療器具に適宜適用することができる。
【００１６】
図２に示すように、ハンドピース２は、ヘッド部３と、このヘッド部３に連接される細径のネック部４と、該ネック部４に連接され手指によって把持される把持部５と、を備えたハンドピース本体６と、ヘッド部３の下方に着脱可能に取り付けられる切削回転工具７と、を備える。
【００１７】
本発明のカバー部材１０は、図１に示すように、このハンドピース本体６を挿入可能な伸縮性を有する透明な筒状のフィルム１１（本願のシート部材）を用いて、ヘッド部３の下方を除いてハンドピース本体６を被覆するようにして取り付けられる。
【００１８】
このフィルム１１は、図１に示すように、前方部が後方部よりも小径に形成され、この前方部の周方向にはハンドピース本体６のヘッド３の下方を露出可能な開口１６ａを有しており、少なくともハンドピース本体６の前方部の一部周面に密着される。
【００１９】
具体的に、カバー部材１０は、図１及び図３に示すように、ハンドピース本体６を着脱可能に挿入可能な開口部１２ａを有するカバー本体１２と、このカバー本体１２の開口部側に取り付けられ、カバー本体１２をハンドピース本体６の把持部５の周面に密着させて固定するための固定部材２５と、を備えている。
【００２０】
固定部材２５（本願の固定手段）は、例えば、帯状に形成された両面テープ２５ａや接着材等であり、カバー部材１０がハンドピース本体６の周面に巻き付けられた後に貼着して固定するものである。なお、固定部材２５は、必要に応じて適宜取り付けられる部材であり、必須の構成要件ではない。
【００２１】
図３に示すように、カバー本体１２は、伸縮性及び防水性を有するシート状の材料（例えば、フィルム１１）を用いて形成されており、ハンドピース２のヘッド部３が挿入される先端部は閉じられて形成されており、図３中矢印に示すように、開口部１２ａからハンドピース本体６が先端部に向かって挿入される。
【００２２】
カバー本体１２は、図３（ａ）に示すように、細径のくびれ部１５を有し、このくびれ部１５の前後両側には、ハンドピース本体６のヘッド部３が配置される頭部１６と、ハンドピース本体６の把持部５が配置される胴部１７と、を有する。
【００２３】
頭部１６には、ヘッド部３の下方を露出可能な開口１６ａが形成されており、この開口１６ａによって、ヘッド部３に取り付けられる切削回転工具７、又は切削回転工具と連結される連結具とカバー本体１２の接触が防止される。
【００２４】
この開口１６ａは、ヘッド部３の下方の径と同程度の大きさを有することが好ましく、その形状は、特に限定されるものではないが、本実施形態のような略三角形状、または円形状、若しくは多角形状であることが好ましい。
【００２５】
くびれ部１５は、ハンドピース本体６のネック部４に密着させるためにネック部４と同径若しくは少し小径に形成され、頭部１６及び胴部１７よりも口径が小さく形成されている。一方、頭部１６及び胴部１７は、ヘッド部３及び把持部５を挿入可能な大きさに形成され、均等幅若しくは末広がり状に形成される。特に、胴部１７は、ハンドピース本体６の挿入を容易にするために開口部１２ａを幅広にすることが好ましい。
【００２６】
すなわち、カバー本体１２をハンドピース本体６に装着した状態において、少なくともくびれ部１５はハンドピース本体６のネック部４と密着して配置され、使用時におけるハンドピース本体６に対するカバー本体１２の位置ずれが防止される。
【００２７】
カバー本体１２は、上述したように防水性及び伸縮性を有していれば、その材質や色彩等は特に限定されるものではないが、例えば、P.V.C（ポリ塩化ビニル）、P.P（ポリプロピレン）、P.E（ポリエチレン）、P.S（ポリスチレン）、P.O（ポリオレフィン）、P.E.T（ポリエチレンテレフタレート）等から適宜、選択されたシート状のフィルム１１が用いられる。
【００２８】
なお、カバー本体１２の開口部１２ａの大きさや頭部１６、くびれ部１５、及び胴部１７の径の大きさ等は、装着される治療器具の大きさ等によって適宜設定される。
【００２９】
次に、カバー本体１２の製造方法について図３を用いて説明する。
【００３０】
図３（ａ）に示すように、カバー本体１２は、例えば、伸縮性が高く防水性を有する２枚のフィルム１１ａ、１１ｂを重ね合わせ、先端部下端縁を除いてその縁部が図中二点鎖線に示すように溶着２１等によって接着され製造される。
【００３１】
２枚のフィルム１１ａ、１１ｂは、例えば、ほぼ均等幅で形成される頭部１６と、ネック部４の直径に合わせて形成されるくびれ部１５と、スカート状に末広がりに形成される胴部１７と、を有する。また、使用時の開き易さを考慮し、一方のフィルム１１ａの胴部１７の軸方向の長さは、他方のフィルム１１ｂの胴部１７の軸方向の長さよりも若干長く形成される。
【００３２】
また、頭部１６の下端縁には、所定の段差２３ａを有して切り欠き２３が形成されている。この切り欠き２３は、上述した開口１６ａとして機能するものであり、図３（ｃ）に示すように、本実施形態では略三角形状に形成される。
【００３３】
なお、開口１６ａの形状は、三角形状に限定されるものではなく、円形等であってもよく、さらには、密着させることを考慮すれば、治療器具の露出部分の形状と同一形状とすることが好ましい。
【００３４】
次に、ハンドピース２に対するカバー部材１０の取付方法及び取り外し方法について説明する。
【００３５】
カバー部材１０をハンドピース２に取り付ける場合には、まず、ハンドピース本体６のヘッド部３をカバー本体１２に形成された開口部１２ａから挿入する。続いて、図３中の矢印に示すように、ヘッド部３により胴部１７及びくびれ部１５を押し広げながら、当該ヘッド部３をカバー本体１２の頭部１６まで侵入させ、ヘッド部３の下方を頭部１６に形成されている開口１６ａに合わせた後、カバー本体１２の胴部１７をハンドピース本体６に巻き付け、両面テープ２５ａを貼着してカバー本体１２が広がらないように固定する（図１参照）。
【００３６】
一方、カバー部材１０をハンドピース２から取り外す場合には、両面テープ２５ａを取り除いた後、切削工具等によりカバー本体１２の開口部１２ａ側から先端側（頭部１６側）へと切り進めればよい。
【００３７】
このように本実施形態のカバー部材１０は、使い捨てにして用いられるものであって、ハンドピース２の外面を被覆して使用することにより、治療器具の細菌汚染を防止するととともに、医療従事者の感染及び他の患者への二次感染を防ぐものである。
【００３８】
また、カバー部材１０は、フィルム１１等で形成され伸縮性を有するため、カバー部材１０の内径が多少異なっていたり、治療器具の形状が多少凸凹していても治療器具を挿入可能である。
【００３９】
さらに、カバー部材１０には治療器具の周面に密着させるために一部が小径に形成されたくびれ部１５を設けることにより、治療器具を挿入後にカバー部材１０を移動しにくくすることができる。
【００４０】
また、カバー部材１０は、防水性を有するため、治療器具に細菌が浸透することがない。
【００４１】
次に、カバー部材１０の他の実施形態について説明する。
【００４２】
上記実施形態に示すように、カバー部材１０をハンドピース２に取り付けた状態において、カバー部材１０はハンドピース２の外周面上を滑り易いため、カバー部材１０の内面にエンボス加工を行うことが好ましい。
【００４３】
また、カバー部材１０を構成するフィルム１１をシュリンクフィルムとしても構わない。シュリンクフィルムを用いることで、ハンドピース２にカバー部材１０を取り付けた後にシュリンクフィルムを熱風や熱湯で収縮させることでカバー部材１０をハンドピース本体６に密着させることが可能である。このようにすれば、カバー部材１０を簡易且つ確実にハンドピース２に固定させることができるとともに、使用時においてハンドピース本体６に対するカバー部材１０のずれを容易に防止できる。
【００４４】
なお、シュリンクフィルムを胴部に用いることで固定手段として機能させることも可能である。
【００４５】
また、カバー部材１０は、頭部１６、くびれ部１５、胴部１７をそれぞれ１枚のシート状のフィルムを円筒状に巻いて接合し、各部１５〜１７の端部同士を繋ぐようにして形成しても構わない。この場合、胴部１７の外側にくびれ部１５、くびれ部１５の外側に頭部１６が重ね合わせられるようにすることで、カバー部材１０にハンドピース２を挿入する際に、各部１５〜１７を構成するフィルムの剥がれが発生することを未然に防止することができる。
【００４６】
なお、本願は本実施形態に限定されるものではなく、種々の形態にて実施することが可能である。たとえば、本実施形態では、ハンドピース本体６のネック部４が細径であったため、カバー本体１２がネック部４に装着される部分をくびれ部１５としたが、当該くびれ部１５は、治療器具の形状によってその位置は適宜変更されるものである。
【符号の説明】
【００４７】
２  ハンドピース
１０  カバー部材
１１  フィルム
１５  くびれ部
１６ａ  開口
２５  固定部材
【図１】
2016039846.tif 000003
【図２】
2016039846.tif 000004
【図３】
2016039846.tif 000005